(57)【要約】      （修正有）【課題】乗馬ダンスの動きを真似ることができるスタンド式乗馬運動器を提供する。【解決手段】スタンド式乗馬運動器は底台１、２個の板体２、２個の弾性ユニット３を備え、底台１中央上方の左右両側には、２個の板体２を中空に軸配置し、各板体２下方には弾性ユニット３を設置し、これにより人が両足で２個の板体２を踏み、上、下にジャンプすると、弾性ユニット３の弾力により上下運動、スタンド式乗馬を模擬した運動の達成を補助でき、これにより運動、フィットネス、娯楽及びレジャー等目的を達成でき、極めて面白みが高い運動器材構造を提供し、それは商品化の価値を備える。【選択図】図１
0003181454.tif 000002
【実用新案登録請求の範囲】
【請求項１】
スタンド式乗馬運動器は、底台、２個の板体、２個の弾性ユニットを備え、
前記底台は、底板を備え、前記底板中央上方には、連結板体を固定して設置し、
前記２個の板体の各板体は、前記弾性ユニット上方にそれぞれ設置し、
前記２個の弾性ユニットの各弾性ユニット頂点部と前記板体とは結合し、前記各弾性板体構造中一端には、軸孔を設置し、前記軸孔は、軸部品により、前記連結板体と可動状に接続し、
前記各弾性ユニット構造中には、係合板を備え、前記係合板一端底部には、弧状板を連接し、しかも前記弧状板底部末端には、キャスターを配置することを特徴とするスタンド式乗馬運動器。
【請求項２】
前記底板は、Ｈ字形を呈することを特徴とする請求項１に記載のスタンド式乗馬運動器。
【請求項３】
前記底板には、複数のクッション体を設置することを特徴とする請求項１に記載のスタンド式乗馬運動器。
【請求項４】
前記連結板体は、Ｕ字形を呈し、
前記連結板体内部には、空間を形成し、前記連結板体には、２組の外穿孔が貫通し、
前記弾性ユニット構造中一端には、軸孔を設置し、前記軸孔は、前記連結板体内部の空間に配置し、前記軸孔は、外軸孔に対応し、軸部品を通して設置し定位することを特徴とする請求項１に記載のスタンド式乗馬運動器。
【請求項５】
前記弾性ユニット構造中には、固定板を備え、前記固定板外には、係合板を嵌めて設置し、
前記板体底部には、結合槽を設置し、
前記固定板と前記係合板は、前記板体底部の結合槽と結合することを特徴とする請求項１に記載のスタンド式乗馬運動器。
【請求項６】
前記連結板体にはさらに、ポール体を配置することを特徴とする請求項１に記載のスタンド式乗馬運動器。
【請求項７】
前記ポール体底部には、固定板を備え、
前記固定板上には、孔を貫通状に設置し、
前記連結板体には、穿孔を設置し、固定部品を利用し、前記固定板を、前記連結板体の穿孔上に固定できることを特徴とする請求項６に記載のスタンド式乗馬運動器。
【請求項８】
前記固定板上方のポール体下縁には、バネを設置し、しかも前記ポール体頂点部には、グリップを設置することを特徴とする請求項７に記載のスタンド式乗馬運動器。
【請求項９】
前記底板両側外端縁には、スライド板を対応して延伸し設置し、しかも前記各弧状板底部末端には、キャスターを配置し、
前記各キャスターは、前記底台の前記スライド板上にちょうど位置することを特徴とする請求項１に記載のスタンド式乗馬運動器。
【考案の詳細な説明】
【技術分野】
【０００１】
本考案はスタンド式乗馬運動器に関し、特に運動フィットネス器材の最新の構造で、消費者は立った状態でジャンプ運動を行うことができ、これにより現在大人気の乗馬ダンスの動きを行うことができるスタンド式乗馬運動器に関する。
【背景技術】
【０００２】
現代人は生活空間が狭いことに加え、仕事が忙しく、ストレスをため易いため、心肺機能は衰え、筋力も低下している。
そのため、体力測定の数値が標準以下の人も多く、数歩歩いただけで息切れし、身体が弱く、病気に掛かりやすい人もいる。
それらの、最も大きな原因の一つは、運動不足であるが、身体にとっての運動の重要性に気付き、時間を作って運動する人も増えている。
【０００３】
実は、時間がなくて運動できない、というのは言い訳に過ぎない。
例えば、家やオフィスでも、簡易な室内フィットネス或いは運動器材を用いれば、どこかに行かなくても、または天候がどうであろうと、運動或いはフィットネスを行うことができる。
市販の室内用の運動フィットネス器材は非常に多く、電動ランニングマシーン、ウェイトトレーニング器、ステップマシーン、アレイ等数百種類にも達する。
【０００４】
室内用の運動フィットネス器材には多くの種類があるが、ほとんどの製品は誕生してから数十年にもなるのに、その使用形態は変わっておらず、面白みにかけると言わざるを得ない。
現在の民生用市場では、絶えず刷新し、話題を作り出し、消費者の興味をひきつけることができる製品でなければ、消費者の購買意欲を刺激することはできない。
【０００５】
上記に鑑み、本考案人は、現在、世界中で老若男女を問わず大流行している乗馬ダンスに着目した。
もし、この種の運動形態を、運動フィットネス器材に取り入れ、商品とすることができれば、時下のトレンドに乗り、爆発的な売れ行きをもたらし、消費者の流行に対するニーズを満たすことができるだろう。
本考案は、従来の運動器の上記した欠点に鑑みてなされたものである。
【考案の概要】
【考案が解決しようとする課題】
【０００６】
本考案が解決しようとする課題は、その運動形態が目下流行中の乗馬ダンスに符合する器材構造で、人がその上に立った後、上下にジャンプすることで、スタンド式運動の乗馬ダンスの振り付けを真似することができ、これにより運動形態は流行に符合し、消費者の耳目をひきつけ、運動への動機を増大させ、同時に、販売量を拡大させる等の目的を達成でき、消費者の耳目を効果的にひきつけることができる運動フィットネス器材であるスタンド式乗馬運動器を提供することである。
【課題を解決するための手段】
【０００７】
上記課題を解決するため、本考案は下記のスタンド式乗馬運動器を提供する。
スタンド式乗馬運動器は、底台、２個の板体、２個の弾性ユニットを備え、
該底台は、底板を備え、該底板はややＨ字形を呈し、
該底板両側外端縁には、スライド板を対応して延伸し設置し、
該底板は、複数のクッション体を適当に設置し、
該底板の中央上方には、連結板体を固定状に設置し、該連結板体はＵ字形を呈し、
該連結板体内部には、空間を形成し、
該連結板体には、２組の外穿孔が貫通し、
該連結板体片側の外縁面には、２個の穿孔を設置し、
該板体は、該弾性ユニット上方に組立て、該板体底部には、結合槽を設置し、
該弾性ユニット構造中の一端には、軸孔を設置し、該軸孔は、該連結板体内部の空間に配置し、該軸孔は、外軸孔に対応し、軸部品を利用し、通して組合せ定位し、
該弾性ユニット構造中には、固定板を備え、該固定板は、軸孔傍らに位置し、
該固定板外には、係合板を嵌めて設置し、該係合板一端底部には、弧状板を連接し、しかも該弧状板底部末端には、キャスターを配置し、該キャスターは、該底台のスライド板上にちょうど位置し、
該固定板は、該板体の結合槽と結合後、該固定板はさらに、係合板と結合し、
該連結板体にはさらに、ポール体を配置し、
該ポール体底部には、固定板を備え、該固定板上には、孔を貫通状に設置し、固定部品を利用し、該固定板を、該連結板体の穿孔上に固定することができ、
該固定板上方のポール体下縁には、バネを設置し、しかも該ポール体頂点部には、グリップを設置する。
【考案の効果】
【０００８】
本考案のスタンド式乗馬運動器は、人がその上に立った後、上下にジャンプすることで、スタンド式運動の乗馬ダンスの振り付けを真似することができ、運動形態が流行に符合し、消費者の耳目をひきつけ、運動への動機を増大させ、販売量を拡大させる等の目的を達成できる。
【図面の簡単な説明】
【０００９】
【図１】本考案の立体分解図である。
【図２】本考案の立体組合せ図である。
【図３】本考案の側視動作状態模式図である。
【図４】本考案の立体実施状態模式図である。
【考案を実施するための形態】
【００１０】
以下に図面を参照しながら本考案を実施するための最良の形態について詳細に説明する。
【実施例】
【００１１】
図１、２に示すように、本考案スタンド式乗馬運動器は、底台1、２個の板体2、２個の弾性ユニット3を備える。
【００１２】
底台1は、底板11を備え、底板11はややＨ字形を呈する。
底板11両側外端縁には、スライド板12を対応して延伸し設置する。
底板11は、複数のクッション体13を適当に設置する。
底板11の中央上方には、連結板体14を固定状に設置し、連結板体14は、Ｕ字形を呈する。
連結板体14内部には、空間を形成し、連結板体14には、２組の外穿孔141が貫通する。
連結板体14片側の外縁面には、２個の穿孔142を設置する。
【００１３】
板体2は、弾性ユニット3上方に組立て、板体2底部には、結合槽21を設置する。
弾性ユニット3構造中の一端には、軸孔31を設置し、軸孔31は、連結板体14内部の空間に配置する。
軸孔31は、外軸孔141に対応し、軸部品32を利用し、通して組合せ定位する。
弾性ユニット3構造中には、固定板33を備え、固定板33は軸孔31傍らに位置する。
固定板33外には、係合板34を嵌めて設置する。
固定板33は、先ず、板体2の結合槽21と結合後、固定板33はさらに、係合板34と結合する。
係合板34一端底部には、弧状板35を連接し、しかも弧状板35底部末端には、キャスター36を配置し、キャスター36は、底台1のスライド板12上にちょうど位置する。
【００１４】
連結板体14にはさらに、ポール体4を配置する。
ポール体4底部には、固定板41を備え、固定板41上には、孔42を貫通状に設置し、固定部品43を利用し、固定板41を、連結板体14の穿孔142上に、固定することができる。
固定板41上方のポール体4下縁には、バネ44を設置し、しかもポール体4頂点部には、グリップ45を設置する。
【００１５】
上記した構造を完全に組合せた後は、図３、４に示すように、運動に使用することができる。
人が両足5でそれぞれ２個の板体2を踏み、上、下にジャンプすると、各弾性ユニット3の弧状板35は、弾力を提供することができる。
人が体重により下方へと押すと、各弧状板35下方へと変形し、しかも各キャスター36は、各スライド板12上において、外へとスライドし、各板体2を下方へと移動させる。
またさらに、各弧状板35の弾力を利用すれば、板体2を上方へと戻すことができ、しかも各キャスターは、各スライド板上において、内へとスライドし復位する。
こうして、本考案により、人体の上下運動、スタンド式の乗馬ダンス或いはジャンプ式の乗馬ダンスの運動形態を真似することができ、運動、フィットネス、娯楽等の目的を達成することができる。
本考案のポール体4，作用在於提供人体雙手握持，以輔助平衡。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１      底台
１１    底板
１２    スライド板
１３    クッション体
１４    連結板体
１４１  外穿孔
１４２  穿孔
１５    蓋体
２      板体
２１    結合槽
３      弾性ユニット
３１    軸孔
３２    軸部品
３３    固定板
３４    係合板
３５    弧状板
３６    キャスター
４      ポール体
４１    固定板
４２    孔
４３    固定部品
４４    バネ
４５    グリップ
５      足
【図１】
0003181454.tif 000003
【図２】
0003181454.tif 000004
【図３】
0003181454.tif 000005
【図４】
0003181454.tif 000006